(57)【要約】【課題】手動方式の分割装置の簡便性を保持しつつ、分割効率を上げることができるプリント配線板の分割装置の提供。【解決手段】ベース盤上に、上型が昇降自在に取り付けられていると共に、当該上型の側方部位に、下型を備えたスライドテーブルが、自動巻き戻し機構付きリール部と当該リール部に巻回出入自在に装着された伸退部材を介して、上型の直下部位まで伸出後退動自在に取り付けられているプリント配線板の分割装置。【選択図】図１
2010123705.tif 000002
【特許請求の範囲】
【請求項１】
ベース盤上に、上型が昇降自在に取り付けられていると共に、当該上型の側方部位に、下型を備えたスライドテーブルが、自動巻き戻し機構付きリール部と当該リール部に巻回出入自在に装着された伸退部材を介して、上型の直下部位まで伸出後退動自在に取り付けられていることを特徴とするプリント配線板の分割装置。
【請求項２】
前記自動巻き戻し機構が、ゼンマイの復元力を利用した自動巻き戻し機構であることを特徴とする請求項１記載のプリント配線板の分割装置。
【請求項３】
前記上型が位置決めピンを有すると共に、前記下型が位置決め穴を有し、当該ピンが当該穴に挿入されたときに、自動巻き戻し機構のストッパーとして機能することを特徴とする請求項１又は２記載のプリント配線板の分割装置。
【請求項４】
前記分割装置が、位置決めピンの位置決め穴への挿入前に、一旦スライドテーブルを上型の直下部位に保持し、かつ位置決めピンの位置決め穴への挿入時に離脱する仮止め機構を備えていることを特徴とする請求項３記載のプリント配線板の分割装置。
【請求項５】
前記仮止め機構が、スライドテーブルの上型方向前端部に付設された磁石と、上型を間においてスライドテーブルとは反対側のベース盤上に、スライドテーブルの伸出時スライドテーブルの磁石と接合するように付設された磁石又は鉄製金具とから成ることを特徴とする請求項４記載のプリント配線板の分割装置。
【請求項６】
前記仮止め機構が、スライドテーブルの上型方向前端部に形設された凹部又は凸部と、上型を間においてスライドテーブルとは反対側のベース盤上に、スライドテーブルの伸出時スライドテーブルの凹部又は凸部と嵌合するように形設された凸部又は凹部とからなることを特徴とする請求項４記載のプリント配線板の分割金型。
【発明の詳細な説明】
【技術分野】
【０００１】
本発明は、プリント配線板の分割装置、更に詳細には、複数個のプリント基板が面付けされたシートを個々のプリント基板に分割するための分割装置に関する。
【背景技術】
【０００２】
従来、複数のプリント基板に部品が実装されたシートを個片に分割する際、上下に金型を備えた分割装置が用いられていた。
【０００３】
斯かる分割装置としては種々のものが存在するが、例えば手動で分割できる簡易な装置も存在している。
通常、プリント基板を分割する際の生産性を考慮した場合、上型と下型の距離を短くするとストローク時間が短くなり、生産性が向上する。そのため、従来の手動分割装置においては、一般にスライドテーブルを用いて、当該スライドテーブルに配置した下型を手動で上型の下まで押し込み、プリント基板を打ち抜く毎に、スライドテーブルを手動で引き戻す作業を繰り返すことによって分割していた（例えば、非特許文献１参照）。
【０００４】
しかしながら、プリント基板の打ち抜き枚数が多い場合、前記の如く、手動でスライドテーブルの移動を繰り返していては、生産性の向上は望めないと言う問題があった。
【非特許文献１】シイエムケイメカニクス株式会社“分割システム（ＭＨＰ−２００）装置仕様”〔平成２０年１１月１０日検索〕＜ＵＲＬ：ｈｔｔｐ：／／ｗｗｗ．ｃｍｋ−ｍｅｃｈａｎｉｃｓ．ｃｏ．ｊｐ１＞
【発明の開示】
【発明が解決しようとする課題】
【０００５】
本発明者は、上記問題点に鑑みてなされたもので、手動方式の分割装置の簡便性を保持しつつ、スライドテーブルを備えた分割装置でプリント基板を個片製品に分割する際の生産性の向上を計ることができるプリント配線板の分割装置を提供することを課題としている。
【課題を解決するための手段】
【０００６】
本発明者は、上記課題を解決すべく種々研究を重ねた結果、スライドテーブルの伸出後退動のうち、後退動を自動化すれば、手動方式の簡便性を失うことなく、分割作業を効率化し得ることを見い出し、本発明を完成した。
【０００７】
すなわち、本発明はベース盤上に、上型が昇降自在に取り付けられていると共に、当該上型の側方部位に、下型を備えたスライドテーブルが、自動巻き戻し機構付きリール部と当該リール部に巻回出入自在に装着された伸退部材を介して、上型の直下部位まで伸出後退動自在に取り付けられているプリント配線板の分割装置により上記課題を解決したものである。
【０００８】
本発明によれば、手を離せば自動的にスライドテーブルが元の位置まで後退するので、当該後退動を手作業でする必要がなくなる。
【０００９】
本発明において、前記自動巻き戻し機構としては、上型の直下部位まで伸出したスライドテーブルを元の位置まで後退させることができるものであれば特に限定されないが、例えばゼンマイの復元力を利用した自動巻き戻し機構が、電動式のものに比し簡便で、しかも二酸化炭素排出問題も生じないので望ましい。
【００１０】
また、本発明において、前記上型に位置決めピンを設けると共に、前記下型に位置決め穴を設け、当該ピンが当該穴に挿入されたときに、自動巻き戻し機構のストッパーとして機能するようにすれば、打ち抜き加工時にスライドテーブルは上型の直下部位に保持されるが、分割終了後、上型が上昇して位置決め穴から位置決めピンが離脱すると、ストッパー機能が解除されるので、自動巻き戻し機構の作動により、スライドテーブルは自動的に元の位置まで後退するため、位置決めピンが位置決め穴に挿入された以降は、手をスライドテーブルから離すことができるので、作業者の負担が軽減され、より望ましい。
【００１１】
また、本発明において、前記位置決めピンの位置決め穴への挿入前に、一旦スライドテーブルを上型の直下部位に保持し、かつ位置決めピンの位置決め穴への挿入時に離脱する仮止め機構を設ければ、当該仮止めした状態から位置決めピンと位置決め穴の同芯位置合せを行うことができるので、作業者の位置合せ作業が容易となり、より望ましい。
【００１２】
この仮止め機構としては、スライドテーブルの後退動を抑止し得るものであれば特に限定されないが、例えばスライドテーブルの上型方向前端部に磁石を付設すると共に、上型を間においてスライドテーブルとは反対側のベース盤上に、スライドテーブルの伸出時スライドテーブルの磁石と接合するように磁石又は鉄製金具を付設したものや、スライドテーブルの上型方向前端部に凹部又は凸部を形設すると共に、上型を間においてスライドテーブルとは反対側のベース盤上に、スライドテーブルの伸出時スライドテーブルの凹部又は凸部と嵌合するように凸部又は凹部を形設したものが、簡便で望ましい。
【発明の効果】
【００１３】
本発明のプリント配線板の分割装置を用いれば、手動方式の分割装置の簡便性を保持すると共に、分割加工終了後にスライドテーブルが自動的に元の位置まで後退するので、手動でスライドテーブルを引き戻す作業よりも頗る効率が上がり、作業者の負担が軽減されると共に、プリント配線板を個片製品に分割する生産性が向上する。
【発明を実施するための最良の形態】
【００１４】
以下本発明の実施の形態を図面と共に説明する。
【００１５】
図１は、本発明プリント配線板の分割装置を示す概略断面説明図である。
当該図１において、１０はベース盤で、その上面に、上型２０が昇降自在に取り付けられていると共に、当該上型２０の側方部位に、下型３０を備えたスライドテーブル４０が上型２０の直下部位まで伸出後退動自在に取り付けられている。
【００１６】
５０はゼンマイの復元力を利用した自動巻き戻し機構付きリール部で、ベース盤１０の下面に取り付けられている。また、５１は当該リール部５０に巻回出入自在に装着された伸退部材で、適宜プーリー５２等を介して、その突出端部５１ａがスライドテーブル４０に付設された突出部材４１に取り付け固定され、自動的にスライドテーブル４０を元の位置に戻す作用を果すものである。尚、伸退部材５１の材質は、リール部５０に巻回出入自在に装着されるものであれば合成樹脂、金属等の如何を問わず、またその形態もテープ状、紐状等その如何を問わない。
【００１７】
２１は位置決めピンで、上型２０の下面に突設されている。また３１は位置決め穴で、下型３０に形設されており、前記位置決めピン２１が当該位置決め穴に挿入されたときに、スライドテーブル４０の後退動のストッパーとして機能するようになっている。
【００１８】
６０ａはスライドテーブル４０の上型２０方向前端部に付設された磁石、また６０ｂは上型２０を間においてスライドテーブル４０とは反対側のベース盤１０上に付設された磁石又は鉄製金具で、スライドテーブル４０の伸出時スライドテーブル４０の磁石６０ａと接合して、位置決めピン２１の位置決め穴３１への挿入前に、一旦スライドテーブル４０の下型３０を上型２０の同芯位置よりやや伸出方向側の偏芯位置において固定し、かつ位置決めピン２１の位置決め穴３１への挿入時に離脱する仮止め機構として機能するようになっている。
【００１９】
次に、上記の如き実施の形態に係る本発明プリント配線板の分割装置の作動例を図１〜図４を用いて説明する。
【００２０】
まず、図１に示すように、下型３０に分割すべきプリント配線板Ｐをセットし、スライドテーブル４０を手で図１の矢印方向に押し出せば、伸退部材５１がリール部５０から繰り出されるので、当該スライドテーブル４０が上型２０の直下部位まで伸出し、図２に示すように、スライドテーブル４０の磁石６０ａとベース盤１０の磁石６０ｂが接合し、スライドテーブル４０から手を離しても下型３０が上型２０の同芯位置よりやや伸出方向側の偏芯位置において仮止めされた状態となる。
【００２１】
次いで、上型２０を図２の矢印方向に下降せしめ、図３に示すように、偏芯位置にて仮止めされたスライドテーブル４０の磁石とベース盤１０の磁石６０ｂを離脱させつつ、位置決めピン２１を位置決め穴３１に挿入すれば、同芯位置にて上型２０と下型３０が固定される。
【００２２】
尚、上記実施の形態においては、スライドテーブル４０の仮止めについて、磁石を用いているが、当該磁石に代えて凹部又は凸部をスライドテーブル４０に形設すると共に、ベース盤１０に、スライドテーブルの凹部又は凸部と嵌合する凸部又は凹部を形設しても、同様な作用効果が得られる。
【００２３】
次いで、当該固定状態で上型２０を図３の矢印方向に更に下降せしめてプリント配線板Ｐを分割加工する。
【００２４】
次いで、図４の上向き矢印方向に、上型２０を上昇せしめれば、位置決めピン２１が位置決め穴３１から離脱して上型２０と下型３０の固定が解除されるので、それと同時に伸退部材５１がリール部５０に自動的に巻き戻される結果、スライドテーブル４０、従ってまた下型３０も図４の右向き矢印方向に自動的に後退動し、元の位置に戻る。
【図面の簡単な説明】
【００２５】
【図１】本発明プリント配線板の分割装置の概略断面説明図。
【図２】スライドテーブルを上型の直下部位まで伸出させた状態の本発明分割装置の概略断面説明図。
【図３】分割加工時の状態の本発明分割装置の概略断面説明図。
【図４】分割加工後の状態の本発明分割装置の概略断面説明図。
【符号の説明】
【００２６】
１０：ベース盤
２０：上型
２１：位置決めピン
３０：下型
３１：位置決め穴
４０：スライドテーブル
４１：突出部材
５０：リール部
５１：伸退部材
５１ａ：突出端部
５２：プーリー
６０ａ：磁石
６０ｂ：磁石又は鉄製金具
Ｐ：プリント配線板
【図１】
2010123705.tif 000003
【図２】
2010123705.tif 000004
【図３】
2010123705.tif 000005
【図４】
2010123705.tif 000006